(57)【要約】【課題】比較的容易に施工でき、かつ、建物内に光が差し込むのを抑止できる開閉装置を提供する。【解決手段】開閉装置は、雨戸枠１０４と戸袋１０６とを含む雨戸ユニットに対応して設けられる。開閉装置は、雨戸枠１０４の枠開口を開閉するためのシャッターカーテンと、雨戸枠１０４を囲むように建物に固定され、シャッターカーテンを支持する支持枠と、支持枠と戸袋１０６との隙間から建物内に差し込もうとする光の少なくとも一部を遮るための遮光部材１６と、を備える。【選択図】図６
2020056309.tif 000002
【特許請求の範囲】
【請求項１】
雨戸枠と戸袋とを含む雨戸ユニットに対応して設けられる開閉装置であって、
前記雨戸枠の枠開口を開閉するための開閉体と、
前記雨戸枠を囲むように建物に固定され、前記開閉体を支持する支持枠と、
前記支持枠と前記戸袋との隙間から建物内に差し込もうとする光の少なくとも一部を遮るための遮光部材と、を備えることを特徴とする開閉装置。
【請求項２】
前記支持枠は、前記戸袋に固定されていないことを特徴とする請求項１に記載の開閉装置。
【請求項３】
前記遮光部材は、前記支持枠と前記戸袋とに挟まれることを特徴とする請求項１または２に記載の開閉装置。
【請求項４】
前記遮光部材は、弾性体であることを特徴とする請求項１から３のいずれかに記載の開閉装置。
【請求項５】
前記支持枠は、
建物に固定される下地部材と、
前記戸袋との間に前記遮光部材が挟まれるように前記下地部材に固定され、前記開閉体を支持する本体部と、を含むことを特徴とする請求項１から４のいずれかに記載の開閉装置。
【請求項６】
前記雨戸枠の上枠および下枠には、前記戸袋側の端部に切欠が形成され、
前記支持枠は、前記戸袋側の縦枠が、前記切欠に入り込んでいる状態で建物に固定されることを特徴とする請求項１から５のいずれかに記載の開閉装置。
【請求項７】
雨戸枠と戸袋とを含む雨戸ユニットに対応して設けられる開閉装置の施工方法であって、
前記開閉装置は、前記雨戸枠の枠開口を開閉するための開閉体と、前記雨戸枠を囲むように建物に固定され、前記開閉体を支持する支持枠と、前記支持枠と前記戸袋との隙間から建物内に差し込もうとする光の少なくとも一部を遮るための遮光部材と、を備え、
当該施工方法は、
前記戸袋との間に前記遮光部材が挟まれるよう前記支持枠を建物に固定する工程と、
前記支持枠に前記開閉体を固定する工程と、を含むことを特徴とする施工方法。
【請求項８】
前記支持枠は、建物に固定される下地部材と、前記開閉体を支持する本体部とを含み、
前記支持枠を建物に固定する工程は、
前記下地部材を建物に固定する工程と、
前記戸袋との間に前記遮光部材が挟まれるよう前記下地部材に前記本体部を固定する工程と、を含むことを特徴とする請求項７に記載の施工方法。
【請求項９】
前記支持枠を建物に固定する工程の前に、前記雨戸枠の上枠および下枠の前記戸袋側の端部に切欠を形成する工程を含み、
前記支持枠を建物に固定する工程では、前記支持枠の前記戸袋側の縦枠が、前記雨戸枠の上枠および下枠の切欠に入り込むよう前記支持枠を建物に固定することを特徴とする請求項７または８に記載の施工方法。
【発明の詳細な説明】
【技術分野】
【０００１】
本発明は、雨戸枠と戸袋とを含む雨戸ユニットに対応して設けられる開閉装置とその施工方法に関する。
【背景技術】
【０００２】
雨戸枠と戸袋とを含む雨戸ユニットに対応して建物に取り付けられる後付用の開閉装置が提案されている（例えば特許文献１）。
【先行技術文献】
【特許文献】
【０００３】
【特許文献１】特開２０１４−７７２４３号公報
【発明の概要】
【発明が解決しようとする課題】
【０００４】
特許文献１に記載される開閉装置は、既設の雨戸ユニットを取り外さなくて済むため、比較的容易に施工できる。しかしながらこの開閉装置では、開閉体を支持する支持枠のうちの戸袋側の縦枠の一部が、雨戸枠を避けるために、雨戸枠からも建物の外壁からも浮いている。そのため、開閉体を閉じた状態でも、支持枠と戸袋との隙間と、縦枠と雨戸枠および外壁との隙間を通って建物内に光が差し込みうる。
【０００５】
本発明はこうした状況に鑑みてなされたものであり、その目的は、比較的容易に施工でき、かつ、建物内に光が差し込むのを抑止できる開閉装置を提供することにある。
【課題を解決するための手段】
【０００６】
上記課題を解決するために、本発明のある態様の開閉装置は、雨戸枠と戸袋とを含む雨戸ユニットに対応して設けられる開閉装置であって、雨戸枠の枠開口を開閉するための開閉体と、雨戸枠を囲むように建物に固定され、開閉体を支持する支持枠と、支持枠と戸袋との隙間から建物内に差し込もうとする光の少なくとも一部を遮るための遮光部材と、を備える。
【０００７】
本発明の別の態様は、施工方法である。この方法は、雨戸枠と戸袋とを含む雨戸ユニットに対応して設けられる開閉装置の施工方法であって、開閉装置は、雨戸枠の枠開口を開閉するための開閉体と、雨戸枠を囲むように建物に固定され、開閉体を支持する支持枠と、支持枠と戸袋との隙間から建物内に差し込もうとする光の少なくとも一部を遮るための遮光部材と、を備える。当該施工方法は、戸袋との間に遮光部材が挟まれるよう支持枠を建物に固定する工程と、支持枠に開閉体を固定する工程と、を含む。
【発明の効果】
【０００８】
本発明によれば、比較的容易に施工でき、かつ、建物内に光が差し込むのを抑止できる開閉装置を提供できる。
【図面の簡単な説明】
【０００９】
【図１】実施の形態に係る開閉装置の斜視図である。
【図２】開閉装置の分解立体図である。
【図３】建物に固定された下地部材の正面図である。
【図４】下地部材を介して建物に固定された本体部の正面図である。
【図５】雨戸枠および戸袋を示す斜視図である。
【図６】図４のＡ−Ａ線断面図である。
【図７】開閉装置を建物に施工する方法を示す工程図である。
【図８】開閉装置を建物に施工する方法を示す工程図である。
【図９】開閉装置を建物に施工する方法を示す工程図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（開閉装置）
図１は、実施の形態に係る開閉装置１０の斜視図である。図１では、シャッターカーテン３２を半透明で図示する。図２は、開閉装置１０の分解斜視図である。図３は、建物に固定された支持枠１２の下地部材５０の正面図である。図４は、下地部材を介して建物に固定された支持枠１２の本体部２０の正面図である。図５は、雨戸枠１０４および戸袋１０６を示す斜視図である。図６は、図４のＡ−Ａ線断面図である。
【００１２】
以降、開閉装置１０が取り付けられる建物の外壁面（全体として平坦である外壁面）と平行な実質的に水平な方向を「見付け方向」とし、見付け方向に直交する実質的に水平な方向を「見込み方向」として説明する。また、見込み方向において、開閉装置１０が取り付けられる建物から離れる側を「前側」として説明する。
【００１３】
開閉装置１０は既設の雨戸ユニット１０２に対応して設けられ、雨戸ユニット１０２は窓部に対応して設けられる。窓部は、建物の外壁の開口を囲むように外壁に取り付けられる窓枠１１０と、窓枠１１０にはまるガラス戸（不図示）とを含む。雨戸ユニット１０２は、雨戸枠１０４と、雨戸枠１０４にはまる雨戸（不図示）を収納するための戸袋１０６とを含む。
【００１４】
雨戸枠１０４は、三方枠であり、上枠１０４ａと、下枠１０４ｂと、縦枠１０４ｃとを含む。上枠１０４ａおよび下枠１０４ｂは、見付け方向に延在する。縦枠１０４ｃは、鉛直方向に延在し、上枠１０４ａおよび下枠１０４ｂの戸袋１０６とは反対側の端部を連結する。上枠１０４ａ、下枠１０４ｂおよび縦枠１０４ｃは、窓枠１１０の前側に、例えば窓枠１１０から前側に延びるように窓枠１１０と一体に形成される。上枠１０４ａ、下枠１０４ｂの戸袋１０６側の端部にはそれぞれ、開閉装置１０を取り付けるにあたり、切欠１０４ｄ、切欠１０４ｅが形成されている。
【００１５】
開閉装置１０は、雨戸ユニット１０２のリフォームとして、基本的には雨戸ユニット１０２をそのままに、雨戸ユニット１０２の上から取り付けられる。開閉装置１０は、本実施の形態では、開閉体としてのシャッターカーテン（後述）を備えるシャッター装置である。開閉装置１０は、支持枠１２と、シャッターユニット１４と、遮光部材１６と、を備える。
【００１６】
支持枠１２は、上枠が２本ある四方枠であり、雨戸枠１０４を囲むように、すなわち上枠１０４ａ、下枠１０４ｂおよび縦枠１０４ｃを囲むようにねじ等の固定手段により建物に固定される。支持枠１２は、例えば、外壁を介して建物の柱部（不図示）に固定されてもよい。また、支持枠１２は、雨戸枠１０４および戸袋１０６にその重量がかららないように建物に固定される。具体的には、支持枠１２は、雨戸枠１０４および戸袋１０６に固定されずに建物に固定される。
【００１７】
支持枠１２は、下地部材５０と、本体部２０と、を含む。下地部材５０は、上枠が２本ある四方枠であり、第１下地上枠５２と、第２下地上枠５３と、下地下枠５４と、第１下地縦枠５６と、第２下地縦枠５８と、を含む。
【００１８】
第１下地上枠５２および第２下地上枠５３は、見付け方向に延在するように、雨戸枠１０４の上方において建物に固定される。第１下地上枠５２は、第２下地上枠５３と鉛直方向に間隔を開けて第２下地上枠５３よりも上方に設けられる。下地下枠５４は、見付け方向に延在するように、雨戸枠１０４の下方において建物に固定される。第１下地縦枠５６は、鉛直方向に延在するように、見付け方向において雨戸枠１０４に対して戸袋１０６とは反対側（図３では右側）において建物に固定される。第１下地縦枠５６は、第１下地上枠５２、第２下地上枠５３および下地下枠５４の雨戸枠１０４側の端部を連結する。第２下地縦枠５８は、鉛直方向に延在するように、雨戸枠１０４と戸袋１０６との境界に配置される。第２下地縦枠５８は、第１下地上枠５２、第２下地上枠５３および下地下枠５４の戸袋１０６側の端部を連結する。
【００１９】
第２下地縦枠５８は、下地部材５０が建物に固定された状態では、上枠１０４ａの切欠１０４ｄおよび下枠１０４ｂの切欠１０４ｅに入り込んだ状態となる。逆にいえば、下地部材５０は、第２下地縦枠５８が切欠１０４ｄおよび切欠１０４ｅに入り込むよう建物に固定される。これにより、戸袋１０６の妻板１０６ａに設けられた雨戸を出し入れするための雨戸出入口であって、雨戸枠１０４の上枠１０４ａ、下枠１０４ｂの延長線上に設けられた雨戸出入口１０６ｂの少なくとも一部が、第２下地縦枠５８により塞がれる。望ましくは、雨戸出入口１０６ｂの全体が第２下地縦枠５８により塞がれるように下地部材５０および切欠１０４ｄ、１０４ｅが構成されてもよい。
【００２０】
第１下地上枠５２、第２下地上枠５３、下地下枠５４、第１下地縦枠５６および第２下地縦枠５８は、それらの前面５２ａ、５３ａ、５４ａ、５６ａ、５８ａがいずれも平坦で、互いに面一になるよう形成される。なお、前面５２ａ、５３ａ、５４ａ、５６ａ、５８ａは、いずれも雨戸枠１０４よりも前側に突出するよう形成されてもよい。
【００２１】
第２下地縦枠５８は、第１下地上枠５２、第２下地上枠５３、下地下枠５４および第１下地縦枠５６よりも見込み方向における厚みが薄くなるよう形成される。これにより、第２下地縦枠５８は、建物の外壁、窓枠１１０および雨戸枠１０４から浮いた状態となる。
【００２２】
本体部２０は、見込み方向から見た形状が下地部材５０と略同一となるよう形成される。具体的には、本体部２０は、第１本体上枠２２と、第２本体上枠２３と、本体下枠２４と、第１本体縦枠２６と、第２本体縦枠２８とを含み、第１本体上枠２２、第２本体上枠２３、本体下枠２４、第１本体縦枠２６および第２本体縦枠２８はそれぞれ、第１下地上枠５２、第２下地上枠５３、下地下枠５４、第１下地縦枠５６および第２下地縦枠５８に固定される。
【００２３】
シャッターユニット１４は、ケース３０と、シャッターカーテン３２と、シャフト（不図示）とを含む。ケース３０は、長尺の箱状の部材であり、長手方向が見付け方向と実質的に一致するよう第１本体上枠２２および第２本体上枠２３に固定される。ケース３０は、シャフトを収容し、それらを隠蔽する。
【００２４】
ケース３０内にはシャフト（不図示）が収納される。シャフトは回転可能に支持される。シャッターカーテン３２は、支持枠１２の枠開口１８ひいては雨戸枠１０４の枠開口１０８を開閉するための開閉体であり、その一端がシャフトに固定される。したがって、シャッターカーテン３２は、シャフトおよびケース３０を介して、第１本体上枠２２および第２本体上枠２３ひいては支持枠１２に支持される。
【００２５】
遮光部材１６は、支持枠１２と戸袋１０６との隙間から建物内に差し込もうとする光の少なくとも一部を遮るように設けられる（図１、６参照）。遮光部材１６は、ゴム、スポンジなどの弾性体である。遮光部材１６は、本体部２０の第２本体縦枠２８の戸袋１０６側の側面２８ａに固定されるとともに、戸袋１０６の妻板１０６ａとに挟まれる。
【００２６】
（施工方法）
図７〜９は、上述した開閉装置１０を建物に施工する方法を示す工程図である。図７〜９に加えて図５を参照して開閉装置１０を施工する方法を説明する。
【００２７】
まず、図５に示すように、雨戸枠１０４の上枠１０４ａおよび下枠１０４ｂの戸袋１０６側の端部を切り欠いて切欠１０４ｄ、切欠１０４ｅを形成する。本実施の形態では、窓枠１１０が露出するように雨戸枠１０４の上枠１０４ａおよび下枠１０４ｂの戸袋１０６側の端部を切り欠く。
【００２８】
次に、図７に示すように、下地部材５０が雨戸ユニット１０２を囲むように下地部材５０を建物に固定する。具体的には、第１下地上枠５２、第２下地上枠５３、下地下枠５４、第１下地縦枠５６を建物に固定し、第２下地縦枠５８を切欠１０４ｄ、１０４ｅに入り込ませる。
【００２９】
次に、図８に示すように、本体部２０を下地部材５０に固定する。このとき、第２本体縦枠２８の側面２８ａに固定されている遮光部材１６（図８では不図示）が第２本体縦枠２８と戸袋１０６とに挟み込まれるように、すなわち遮光部材１６が戸袋１０６の妻板１０６ａ（図８では不図示）と接触するように、本体部２０を下地部材５０に固定する。
【００３０】
次に、図９に示すように、シャッターユニット１４を本体部の第１本体上枠２２および第２本体上枠２３（図９では不図示）に固定する。
【００３１】
以上説明した実施の形態に係る開閉装置１０では、支持枠１２は雨戸枠１０４を囲むように建物に固定される。これにより、既設の雨戸ユニット１０２を取り外すことなく開閉装置１０を施工できる。また、開閉装置１０では、遮光部材１６が支持枠１２と戸袋１０６とに挟まれるよう設けられる。これにより、支持枠１２と戸袋１０６との隙間から建物内に差し込もうとする光の少なくとも一部を遮ることができる。以上より、実施の形態に係る開閉装置１０によると、比較的に容易に施工でき、かつ、シャッターカーテン３２が閉じた状態では建物内に光が漏れるのを抑止できる。
【００３２】
また、実施の形態に係る開閉装置１０では、支持枠１２は戸袋１０６に固定されない。また、支持枠１２と戸袋１０６とに挟まれる遮光部材１６は弾性体である。これにより、シャッターカーテン３２を開閉することによる振動等が戸袋１０６に伝わるのを抑止できその結果、戸袋１０６が破損して建物全体の見栄えが低下するのを抑止できる。
【００３３】
また、実施の形態に係る開閉装置１０によると、支持枠１２は、下地部材５０と本体部２０とを含む。下地部材５０は特に、それらの前面５２ａ、５３ａ、５４ａ、５６ａ、５８ａはいずれも平坦で、かつ、互いに面一になるよう形成される。これにより、雨戸枠が初めから無い窓部または雨戸枠を取り外した窓部に対応して設けられる従来の開閉装置の支持枠を、本体部２０としてそのまま採用できる。
【００３４】
また、実施の形態に係る開閉装置１０によると、雨戸枠１０４の上枠１０４ａ、下枠１０４ｂにはそれぞれ、切欠１０４ｄ、切欠１０４ｅが形成される。また、支持枠１２は、下地部材５０の第２下地縦枠５８が、切欠１０４ｄおよび切欠１０４ｅに入り込んだ状態で建物に固定される。これにより、戸袋１０６の雨戸出入口１０６ｂの少なくとも一部が第２下地縦枠５８に塞がれ、建物内から戸袋１０６の中が見えにくくなり、あるいは見えなくなり、建物内から見た見栄えが向上する。
【００３５】
以上、実施の形態に係る開閉装置について説明した。この実施の形態は例示であり、各構成要素の組み合わせにいろいろな変形例が可能なこと、またそうした変形例も本発明の範囲にあることは当業者に理解されるところである。
【００３６】
（変形例１）
実施の形態では、開閉装置がシャッター装置である場合、すなわち開閉装置が開閉体としてのシャッターカーテン３２を備える場合について説明したが、これに限られない。開閉装置は、シャッターカーテン以外の開閉体、例えば、ブラインド、ロールスクリーン、または防煙垂れ幕などの開閉体を備えるものであってもよい。
【００３７】
（変形例２）
実施の形態では、支持枠１２が下地部材５０と本体部２０とを含む場合について説明したが、これに限られない。支持枠は、実施の形態の下地部材５０と本体部２０とが分離不可能に一体となったものであってもよい。この場合、実施の形態の下地部材５０に対応する支持枠の部分が切欠１０４ｄ、１０４ｅに入り込み、実施の形態の第２本体縦枠２８に対応する支持枠の部分に遮光部材１６が固定されればよい。
【００３８】
（変形例３）
実施の形態では、遮光部材１６は、第２本体縦枠２８と妻板１０６ａとに挟まれる場合について説明したが、これに限られない。遮光部材１６は、支持枠１２と戸袋１０６との隙間から建物内に差し込もうとする光の少なくとも一部を遮ることができればよく、例えば、支持枠１２と戸袋１０６との隙間を塞ぐように支持枠１２および戸袋１０６の前面に貼り付けられるシール材であってもよい。この場合、第２本体縦枠２８と妻板１０６ａとは接触していてもいなくてもよい。接触していれば、建物内に差し込もうとする光をさらに遮ることができる。接触していなければ（すなわち非接触であれば）、シャッターカーテン３２を開閉することによる振動等が戸袋１０６に伝わるのを抑止できる。
【００３９】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００４０】
以上の記載から、下記の発明が認識される。
本発明のある態様の開閉装置は、雨戸枠と戸袋とを含む雨戸ユニットに対応して設けられる開閉装置であって、雨戸枠の枠開口を開閉するための開閉体と、雨戸枠を囲むように建物に固定され、開閉体を支持する支持枠と、支持枠と戸袋との隙間から建物内に差し込もうとする光の少なくとも一部を遮るための遮光部材と、を備える。この態様によると、支持枠と戸袋との隙間から建物内に差し込もうとする光の少なくとも一部を遮ることができる。
【００４１】
支持枠は、戸袋に固定されていない。この場合、開閉体を開閉することによる振動等が戸袋に伝わるのを抑えることができる。
【００４２】
遮光部材は、支持枠と戸袋とに挟まれる。この場合、支持枠と戸袋との隙間から建物内に差し込もうとする光の少なくとも一部を遮ることができる。
【００４３】
遮光部材は、弾性体であってもよい。この場合、開閉体を開閉することによる振動等が戸袋に伝わるのを抑えることができる。これにより、戸袋が破損して建物全体の見栄えが低下するのを抑止できる。
【００４４】
支持枠は、建物に固定される下地部材と、戸袋との間に遮光部材が挟まれるように下地部材に固定され、開閉体を支持する本体部と、を含んでもよい。この場合、雨戸枠が初めから無い窓部または雨戸枠を取り外した窓部に対応して設けられる従来の開閉装置の支持枠を、本体部としてそのまま採用することが可能となる。
【００４５】
雨戸枠の上枠および下枠には、戸袋側の端部に切欠が形成され、支持枠は、戸袋側の縦枠が、切欠に入り込んでいる状態で建物に固定されてもよい。この場合、戸袋の雨戸出入口の少なくとも一部が支持枠に塞がれ、建物内から戸袋の中が見えにくくなり、あるいは見えなくなり、建物内から見た見栄えが向上する。
【００４６】
本発明の別の態様は、施工方法である。この方法は、雨戸枠と戸袋とを含む雨戸ユニットに対応して設けられる開閉装置の施工方法であって、開閉装置は、雨戸枠の枠開口を開閉するための開閉体と、雨戸枠を囲むように建物に固定され、開閉体を支持する支持枠と、支持枠と戸袋との隙間から建物内に差し込もうとする光の少なくとも一部を遮るための遮光部材と、を備える。当該施工方法は、戸袋との間に遮光部材が挟まれるよう支持枠を建物に固定する工程と、支持枠に開閉体を固定する工程と、を含む。この態様によると、支持枠と戸袋との隙間から建物内に差し込もうとする光の少なくとも一部を遮ることができる。
【００４７】
支持枠は、建物に固定される下地部材と、開閉体を支持する本体部とを含んでもよい。支持枠を建物に固定する工程は、下地部材を建物に固定する工程と、戸袋との間に遮光部材が挟まれるよう下地部材に本体部を固定する工程と、を含んでもよい。この場合、雨戸枠が初めから無い窓部または雨戸枠を取り外した窓部に対応して設けられる従来の開閉装置の支持枠を、本体部としてそのまま採用することが可能となる。
【００４８】
支持枠を建物に固定する工程の前に、雨戸枠の上枠および下枠の戸袋側の端部に切欠を形成する工程を含んでもよい。支持枠を建物に固定する工程では、支持枠の戸袋側の縦枠が、雨戸枠の上枠および下枠の切欠に入り込むよう支持枠を建物に固定してもよい。この場合、戸袋の雨戸出入口の少なくとも一部が支持枠に塞がれ、建物内から戸袋の中が見えにくくなり、あるいは見えなくなり、建物内から見た見栄えが向上する。
【符号の説明】
【００４９】
１０  開閉装置、  １２  支持枠、  １４  シャッターユニット、  １６  遮光部材、  １８  枠開口、  １０２  雨戸ユニット、  １０４  雨戸枠、  １０６  戸袋、  １０８  枠開口。
【図１】
2020056309.tif 000003
【図２】
2020056309.tif 000004
【図３】
2020056309.tif 000005
【図４】
2020056309.tif 000006
【図５】
2020056309.tif 000007
【図６】
2020056309.tif 000008
【図７】
2020056309.tif 000009
【図８】
2020056309.tif 000010
【図９】
2020056309.tif 000011
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
雨戸枠と戸袋とを含む雨戸ユニットに対応して設けられる開閉装置であって、
前記雨戸枠の枠開口を開閉するための開閉体と、
前記雨戸枠を囲むように建物に固定される下地部材と、当該下地部材に固定され、前記開閉体を支持する本体部と、を含む支持枠と、を備え、
前記下地部材の前記戸袋側の縦枠は、当該下地部材の他の枠よりも見込み方向における厚みが薄いことを特徴とする開閉装置。